(57)【要約】【課題】ストロボ発光と二次元平面センサの組合せによる画像読み取り系の構成において、両面原稿の画像を同時に読み取りを行う場合に、ストロボ発光を同時に行うと両面原稿の裏写りがおこることからそれを防止することを目的とする。【解決手段】プラテン上に原稿を給送する自動原稿給送装置と、画像データを読み取るためにプラテン上の画像全体を照射する発光手段と、前記発光された画像データを読み取る二次元平面センサと、プラテン上の原稿を、原稿表面及び原稿裏面方向とから発光する前記発光手段を複数持ち、前記発光手段の位置を、原稿表面及び裏面とで異なる副走査位置に配置することを特徴とする画像読み取り装置。【選択図】        図１
2005012394.tif 000002
【特許請求の範囲】
【請求項１】
プラテン上に原稿を給送する自動原稿給送装置と、
画像データを読み取るためのプラテン上の画像全体を照射する発光手段と、
前記発光された画像データを読み取る平面センサと、
プラテン上に搭載された原稿の、原稿表面及び原稿裏面とから発光する前記発光手段を複数持ち、
プラテン上に搭載された両面の原稿画像を読み取る場合に、前記発光手段の発光位置を、原稿表面及び裏面方向とで異なる副走査位置に配置する、
ことを特徴とする画像読み取り装置。
【請求項２】
プラテン上に原稿を給送する自動原稿給送装置と、
画像データを読み取るためのプラテン上の画像全体を照射する発光手段と、
前記発光された画像データを読み取る平面センサと、
プラテン上に搭載された原稿の、原稿表面及び原稿裏面とから発光する前記発光手段を複数持ち、
プラテン上に搭載された両面の原稿画像を読み取る場合に、前記複数の発光手段により両面原稿画像を原稿表面及び裏面方向とから読み取るタイミングを同時に行わないよう前記発光手段による発光タイミングを制御する制御手段と、
を有することを特徴とする画像読み取り装置。
【請求項３】
請求項１および２記載の画像読み取り装置において、
前記発光手段は、ストロボ発光源であることを特徴とする。
【請求項４】
請求項１から３に記載の画像読み取り装置において、
前記原稿搬送手段は、透明部材で構成されることを特徴とする。
【請求項５】
請求項１から４に記載の画像読み取り装置において、
前記原稿搬送手段は、更にクリーニング手段を有することを特徴とする。
【発明の詳細な説明】
【０００１】
【発明の属する技術分野】
本発明は、ストロボ発光源を用いて露光した画像データを、二次元入力センサで読み取る画像読み取り装置に関するものである。
【０００２】
【従来の技術】
従来より、原稿画像の読み取りは、原稿給送装置からプラテン上に給送された原稿を、キセノン管や蛍光灯などの照射源を走査させることで原稿画像全体の露光を行い、その反射光をＣＣＤなどのラインセンサで読み取る方法が一般的であった。（特開２０００−１８４１０８号公報（第５頁、第１図参照））
しかしながら、原稿画像の読み取り速度を向上させるために、発光源としてストロボを使用し、更に読み取りセンサを二次元の平面入力センサとで構成することで、照射源を原稿画像に対して走査させることなく、一瞬のうちに露光させるフラッシュ露光と呼ばれる画像読み取り手段も実用されている。（坂巻資敏著、「電子写真技術の基礎と応用  電子写真学会編」、株式会社コロナ社、１９８８年６月１５日、Ｐ．２２３−２２４参照）
また、原稿画像が両面である場合には、画像の読み取りを原稿一枚に対し、それぞれ表面と裏面の二度読み取り処理を行う必要があり、そのために原稿の表面の画像データを読み取った後、原稿を反転させ裏返しを行って、裏面の画像データを読み取らなくてはならず、両面の読み取り処理に時間を要していた。またこの両面読み取り処理においては、原稿の表裏の画像データを読み取るために原稿の反転処理が必要になることから、原稿をハンドリングする際に原稿が痛んでしまったり、また原稿が搬送や反転時に搬送不良となり搬送パス中につまってしまういわゆるジャムの可能性などもあった。
【０００３】
そこで、両面画像の読み取りを、原稿を反転させることなく、原稿表面及び裏面とから同時に走査を行って露光させる両面画像の同時読み取り手段を有する構成も実用されている。（特開２０００−９２３２４号公報（第１３頁、第１図、第１４頁、第３図参照））
【０００４】
【発明が解決しようとする課題】
ところで、上記のようなストロボ発光源と二次元平面センサとで原稿画像を読み取る構成において、さらに両面原稿画像の読み取りを表裏同時に実施する場合においては、原稿画像の読み取りタイミングが重要になる。すなわち、表面、裏面の画像読み取りの際にストロボを発光するタイミングが同時、あるいは同時に近いタイミングである場合、また、表面、裏面のストロボ発光位置が近い構成であると、原稿の裏写りの問題があり、読み取り品位が低下してしまうと言った懸念点が考慮される。
【０００５】
本発明は上述した課題を解決することを目的として成されたもので、ストロボ発光と二次元平面センサによる画像読み取り系において、両面原稿の同時読み取りを行う構成で、原稿画像の表面、裏面の画像を読み取るためのストロボ発光の発光タイミングを他の読み取りに影響ないようにすることで、原稿の裏写りの防止を行って、画像読み取り品位の低下を防ぐことを可能とする。本発明においては、露光した画像を平面センサで読み取りを行うため、露光を行う位置は、画像データが取得できれば原稿画像の表面、裏面で必ずしも同じ位置に配置する必要がない。従って、表面と裏面のストロボ発光位置を、同時に発光した場合でも影響がない間隔をあけて配置することにより、ストロボ発光時の原稿の裏写りを防止することができ、画像読み取りの品位低下を防ぐことが可能となる。
【０００６】
【課題を解決するための手段】
請求項１に記載の発明は、プラテン上に原稿を給送する自動原稿給送装置と、画像データを読み取るためのプラテン上の画像全体を照射する発光手段と、前記発光された画像データを読み取る平面センサと、プラテン上に搭載された原稿画像を、原稿表面及び原稿裏面とから発光する前記発光手段を複数持ち、プラテン上に搭載された両面の原稿画像を読み取る場合に、前記発光手段の発光位置を、原稿表面及び裏面方向とで異なる副走査位置に配置する、ことを特徴とする画像読み取り装置を提供する。
【０００７】
請求項２に記載の発明は、プラテン上に原稿を給送する自動原稿給送装置と、画像データを読み取るためのプラテン上の画像全体を照射する発光手段と、前記発光された画像データを読み取る平面センサと、プラテン上に搭載された原稿画像を、原稿表面及び原稿裏面とから発光する前記発光手段を複数持ち、プラテン上に搭載された両面の原稿画像を読み取る場合に、前記複数の発光手段により両面原稿画像を原稿表面及び裏面方向とから読み取るタイミングを同時に行わないよう前記発光手段による発光タイミングを制御する制御手段と、を有することを特徴とする画像読み取り装置を提供する。
【０００８】
請求項３に記載の発明は、請求項１から２記載の画像読み取り装置において、前記発光手段がストロボ発光源であることを特徴とする。
【０００９】
請求項４記載の発明は、請求項１から３に記載の画像読み取り装置において、前記原稿搬送手段が透明部材で構成されることを特徴とする。
【００１０】
請求項５に記載の発明は、請求項１から４に記載の画像読み取り装置において、前記原稿搬送手段が更にクリーニング手段を有することを特徴とする。
【００１１】
【発明の実施の形態】
（第一の実施形態）
以下に図面を参照して本発明に係る一発明の実施の形態例を詳細に説明する。
【００１２】
図１は本発明に係る一実施の形態例における画像読み取り装置を用いたデジタル複写機の基本構成を示す断面図である。
【００１３】
なお、図中２００はデジタル複写機１９９の本体を、６は自動原稿給送装置（Ｄｏｃｕｍｅｎｔ  Ｆｅｅｄｅｒ＝ＤＦ）を示している。２０１は原稿載置台としてのプラテンガラスで、自動原稿給送装置６により一枚ずつ原稿が搭載され、後述する読み取り処理に従って、その画像データが読み取られる。通常は原稿照明ランプや走査ミラー等で構成されるスキャナが、所定方向に往復走査されて原稿の反射光が走査ミラーを介し、レンズを透過してＣＣＤセンサに結像するが、本実施例では原稿照明ランプにストロボを使用するため、ストロボ発光したときの原稿反射光を平面センサで読み取ることにより、原稿を走査させるスキャナは必要としない。
【００１４】
２０９はレーザやポリゴンスキャナ等で構成された露光制御部で、イメージセンサ部２０８で電気信号に変換され、所定の画像処理が行われた画像信号に基づいて変調されたレーザ光２１９を感光体ドラム２１１に照射する。感光体ドラム２１１の回りには、１次帯電器２１２、現像器２１３、転写帯電器２１６、分離帯電器２１７、前露光ランプ２１４、クリーニング装置２１５が装備されている。画像形成部２１０において、感光体ドラム２１１は不図示のモータにより図に示す矢印の方向に回転しており、１次帯電器２１２により所望の電位に帯電された後、露光制御部２０９からのレーザ光２１９が照射され、静電潜像が形成される。感光体ドラム２１１上に形成された静電潜像は、現像器２１３により現像されて、トナー像として可視化される。
【００１５】
一方、右カセットデッキ２２１、左カセットデッキ２２２、上段カセット２２３あるいは下段カセット２２４からピックアップローラ２２５、２２６、２２７、２２８により給紙された転写紙は、給紙ローラ２２９、２３０、２３１、２３２により本体に送られ、レジストローラ２３３により転写ベルトに給送され、可視化されたトナー像が転写帯電器２１６により転写紙に転写される。転写後の感光体ドラムは、クリーナー装置２１５により残留トナーが清掃され、前露光ランプ２１４により残留電荷が消去される。転写後の転写紙は、分離帯電器２１７によって感光体ドラムから分離され、転写ベルト２３４によって定着器２３５に送られる。定着器では加圧、加熱により定着され、排出ローラ２３６により本体２００の外に排出される。
【００１６】
本体２００の右側には、例えば約４０００枚の転写紙を収納し得るデッキ２５０が装備されている。デッキ２５０のリフタ２５１は、ピックアップローラ２５２に転写紙が常に当接するように転写紙の量に応じて上昇し、転写紙は給紙ローラ２５３によって本体に送られる。また、１００枚の転写紙を収容し得る、マルチ手差し２５４が装備されている。２３７は排紙フラッパであり、搬送パス２３８側と排出パス２４３側の経路を切り替える。２４０は下搬送パスであり、排紙ローラ２３６から送り出された転写紙を反転パス２３９を介し、転写紙を裏返して再給紙パス２４１に導く。左カセットデッキ２２２から給紙ローラ２３０により給紙された転写紙も、再給紙パス２４１に導かれる。２４２は転写紙を画像形成部２１０に再給紙する再給紙ローラである。２４４は排紙フラッパ２３７の近傍に配置されて、この排紙フラッパ２３７により排出パス２４３側に切り替えられた転写紙を機外に排出する排出ローラである。両面記録（両面複写）時には、排紙フラッパ２３７を上方に上げて、複写済みの転写紙を搬送パス２３８、反転パス２３９、下搬送パス２４０を介して再給紙パス２４１に導く。このとき、反転ローラ２４５によって転写紙の後端が搬送パス２３８から全て抜け出し、且つ、反転ローラ２４５に転写紙が噛んだ状態の位置まで反転パス２３９に引き込み、反転ローラ２４５を逆転させることによって搬送パス２４０に送り出す。本体から転写紙を反転して排出する時には、排紙フラッパ２３７を上方へ上げ、反転ローラ２４５によって転写紙の後端が搬送パス２３８に残った状態の位置まで反転パス２３９に引き込み、反転ローラ２４５を逆転させることによって、転写紙を裏返して排出ローラ２４４側に送り出す。排紙処理装置２９０は、デジタル複写機の本体２００から１枚毎に排出される転写紙を処理トレイ２９４で積載してそろえる。１部の排出が終了したら、転写紙束をステイプルして排紙トレイ２９２、又は、２９３に束で排出する。排紙トレイ２９３は不図示のモータで上下に移動制御され、画像形成動作開始前に処理トレイの位置になるように移動する。２９１は排出された転写紙の間に挿入する区切り紙を積載する用紙トレイで、２９５は排出された転写紙をＺ折りにするＺ折り機である。また、２９６は排出された転写紙一部をまとめてセンター折りしステイプルを行うことによって製本を行う製本機であり、製本された紙束は排出トレイ２９７に排出される。
【００１７】
次に本発明における自動原稿給送装置の動作について、基本構成を示す断面図である図２〜図３を用いて説明する。
【００１８】
まず、図２を用いて自動原稿給送装置６の各部を説明するとともに、基本的な片面原稿についての画像読み取り処理について動作説明を行う。
【００１９】
原稿給紙ローラ６０１は、少なくとも１枚以上のシートで構成される原稿束６２１を載置する原稿トレイ６２０に載置された原稿束６２１の原稿面に落下し回転することで、原稿束の最上面の原稿Ｄを給紙するようになっている。ストッパ６１１は、原稿の給送開始前には突出しており、原稿束６２１はこのストッパ６１１により規制されて下流に進出できないようになっている。
【００２０】
給紙ローラ６０１によって給送された原稿は、分離ローラ６０２と分離ベルト６０３の作用によって１枚に分離される。分離は周知のリタード分離技術によって実現されている。搬送ローラ６０４は、分離ローラ６０２と分離ベルト６０３によって分離された原稿をレジストローラ６０５へ搬送し、レジストローラ６０５に原稿を突き当て、ループを形成することによって、原稿の搬送における斜行を解消する。レジストローラ６０５を通過した原稿は、プラテン２０１方向への搬送路である給紙パス６５２へ誘導される。ベルト駆動ローラ６０６、６０７は、原稿をプラテン上に配置するための給送ベルト６３０を駆動する。給送ベルト６３０はプラテン２０１に当接している。給排紙ローラ６１７は、手差し給紙口６２２から供給された原稿の給排紙及び給送ベルト６３０によって給送された原稿Ｄを原稿排紙口６２３へ排出する。排紙フラッパ６１６は、手差し給排紙パス６５４または原稿排紙パス６５５へ原稿を誘導し、原稿排紙時には手差し排紙口６２２の方へ原稿が排出されないように作用する。手差し給排紙ローラ６１９は、手差し原稿の給排紙を行う。排紙ローラ６１８は、原稿の排出を行う。
【００２１】
また、原稿トレイ６２０の下部には３個のセンサ６０８、６０９、６１０が配置されている。原稿セット検知センサ６１０は、原稿束６２１がセットされたことを検知する透過型の光センサである。原稿後端検知センサ６０８は、原稿がハーフサイズ原稿か否かを判定するための反射型の光センサである。原稿セット検知センサ６１０と原稿後端検知センサ６０８の間にある最終原稿検知センサ６０９は、搬送中の原稿が最終原稿か否かを判定するための反射型の光センサである。また、原稿サイズ検知センサ６２４、６２５、６２６は、搬送中の原稿のサイズを検知するセンサであり、原稿の幅方向に３個並んで配置されており、３個のセンサ値により原稿幅を３段階に検出し、Ａ系とＢ系、または、Ａ４とＡ５の原稿幅等を判別することができる。また、原稿の通過時間により原稿長を検出することもできる。これにより、サイズの異なる原稿が混在する原稿束であっても、個々の原稿サイズの検出を行うことができる。ただし、この際に、原稿束は原稿幅方向の奥側を揃えて載置するものとする。
【００２２】
プラテン上に搭載された原稿は、片面原稿の場合、画像読み取りを行う部分がプラテン上部に当接しており、図３に示すストロボ発光源６６０と、そのストロボ発光の原稿画像からの反射光を反射させるミラー６６１と、その原稿画像を所定の縮小率で結像するレンズ６６２を介し、結像された光情報を電気信号に光電変換する二次元平面センサ６６３で画像データを読み取る。このタイミングは、給送ベルト６３０が原稿をプラテン上に搬送を行い、搬送を止めたタイミングを見計らってストロボ発光が行われる。
【００２３】
次に、両面に印刷がなされた原稿（両面原稿）の両面を読み取る際の、画像読み取り処理について動作説明を行う。
【００２４】
前述した片面原稿の読み取り処理と同じように、自動原稿送り装置６に両面原稿の給送開始が指示されると、ストッパ６１１が下降し、さらに給紙ローラ６０１が原稿上面に落下する。給紙ローラ６０１、分離ローラ６０２、分離ベルト６０３、搬送ローラ６０４の作用により、原稿は原稿束６２１の最上面から１枚だけ分離され、レジストローラ６０５まで給送される。
【００２５】
レジストローラ６０５を通過した原稿は、プラテン２０１方向への搬送路である給紙パス６５２へ誘導される。
【００２６】
プラテン上に搭載された原稿は両面原稿の場合、画像読み取りを行う部分がプラテン上部に当接している部分と、給送ベルト６３０の下部に当接している部分がある。この両面の画像を読み取る場合には、プラテン上部に当接している原稿表面画像はプラテン下部から、給送ベルト６３０の下部に当接している原稿裏面画像は給送ベルト６３０の上部から、それぞれ、図４に示すストロボ発光源６６０、６７０と、そのストロボ発光の原稿画像からの反射光を反射させるミラー６６１、６７１と、その原稿画像を所定の縮小率で結像するレンズ６６２、６７２を介し、結像された光情報を電気信号に光電変換する二次元平面センサ６６３、６７３で画像データを読み取る。
【００２７】
この場合、両面のストロボ発光は原稿の裏写りを考慮したタイミングにする必要があるが、本実施例では、図３に示すように、原稿表面及び裏面を照射するストロボ発光源の位置が原稿搬送方向の手前側と奥側で同時に発光を行っても他の発光に対して影響を及ぼさない間隔を保って位置している。従って、給送ベルト６３０が原稿をプラテン上に搬送を行って一瞬搬送を止めたタイミングを見計らって表面、裏面のストロボ発光が同時に行われるが、この場合においては表面と裏面の読み取り位置が異なっており、表面、裏面それぞれのストロボ発光による他へ面の読み取りへの影響（裏写り）を防げることになる。なお、給送ベルト６３０は、原稿の搬送と同時に両面原稿の場合は、原稿の裏面画像を読み取る必要があるため、透明な部材で構成されている。そして、プラテンと同じように、表面に汚れや紙粉等が付着すると画像読み取り品位が低下してしまうため、その汚れを取るためのクリーニング機構として原稿給送ベルトクリーニングブレード６８０が搭載されている。このクリーニング機構はブレードによらず、クリーニングを行える機能であれば、形態にはこだわらなくともよい。
【００２８】
なお、読み取られた画像データは、平面センサ６６３、６７３からサンプルホールド回路（Ｓ／Ｈ）に入り、サンプリング及び波形整形され、オペアンプで所定の増幅を行った後、Ａ／Ｄ変換回路で入力信号を所定のビット数に量子化される。量子化されたデジタルデータは各補正処理がなされた後、デジタル画像処理部にて各種デジタル画像処理が施される。
【００２９】
その後、原稿の読み取りが終了すると、原稿Ｄは右方向へ給送され、原稿排紙口６２３から自動原稿送り装置６の機外へ排出される。自動原稿送り装置６は、以上の動作を繰り返すことで、両面原稿を最上面から１枚ずつ分離し、両面の読み取りを行い、上面を下向きにして（フェイスダウンで）排出することができる。
【００３０】
（その他の実施形態）
前述した第一の実施形態においては、両面原稿の表面、裏面読み取りの場合に、ストロボ発光を行う発光位置が、他の面の読み取りに影響がない範囲の間隔を保つような構成となっていたが、本実施の形態においては、ストロボ発光のタイミングを他の面の読み取りに影響がないようにタイミング制御を行うことで、読み取りの品位低下を防ぐ。
【００３１】
なお、読み取り装置の構成等については、前述した第一の実施の形態と同じであるため、ここでの詳細な説明は省略する。
【００３２】
図４は本発明のストロボ発光のタイミング制御を説明するフローチャートである。
【００３３】
まずコピー開始の指示がされると、ステップＳ４０１にて両面原稿か否かの判断を行う。これはコピーモードが両面読み取りを必要とするモード（例えば、両面原稿から両面画像を作成する「両両モード」や、両面原稿から片面画像を作成する「両片モード」など）が設定されているか否かの判断を行う。この設定されているモードに従い、両面の読み取りが必要かどうかで処理が分かれる。
【００３４】
両面原稿でない場合は、前述の実施例で説明したように、片面の読み取り処理になることからステップＳ４０２で自動原稿給送装置により、原稿を読み取り位置に搬送を開始する。原稿読み取り位置に到達したら、ステップＳ４０３で原稿の搬送を一旦停止させ、停止した所定時間経過時に表面のストロボ発光を行って片面のみの原稿画像を読み取る（ステップＳ４０４）。その後読み取った原稿を排紙パスから原稿排紙トレイへ排出させ（ステップＳ４０５）、その原稿が最終原稿か否かの判別を行う（ステップＳ４１０）。最終原稿である場合は、そのまま読み取り処理を終了させるが、最終原稿でない場合には、ステップＳ４０２へ戻り、最終原稿の読み取りが終了するまで、以下ステップＳ４０２〜Ｓ４１０の処理を繰り返すことになる。
【００３５】
ステップＳ４０１で両面原稿と判断された場合は、両面原稿の読み取り処理を行うことになるが、まずステップＳ４０５で、原稿を読み取り位置まで搬送する。原稿読み取り位置まで原稿が到達したら、ステップＳ４０６で原稿の搬送を一旦停止させ、まず表面の画像を停止してから所定時間経過時に表面読み取り用のストロボ発光を行って、表面の原稿画像を読み取る（ステップＳ４０７）。そして、表面のストロボ発光開始から所定時間経過後（この時間はストロボ発光から消灯までのを加味した値となっている）に、裏面読み取り用のストロボ発光を開始し（ステップＳ４０８）、裏面の読み取りを行う。ストロボ発光から消灯に要する時間は瞬時であり、この所定時間は数１００ｍｓ程度である。このように表面と裏面のストロボ発光タイミングにディレイを設けることで、同時に発光するタイミングを避け、原稿の裏写りを防止することが可能となる。
【００３６】
原稿の両面を読み取った後は、前述の片面原稿の場合と同じように、排紙パスから原稿排紙トレイへ原稿を排出させ（ステップＳ４０９）、その原稿が最終原稿か否かの判別を行う（ステップＳ４１０）。最終原稿である場合は、そのまま読み取り処理を終了させるが、最終原稿でない場合には、ステップＳ４０５へ戻り、最終原稿の読み取りが終了するまで、以下ステップＳ４０５〜Ｓ４１０の処理を繰り返すことになる。
【００３７】
本発明は、複数の機器（例えばホストコンピュータ、インターフェイス機器、リーダ、プリンタなど）から構成されるシステムに適用しても、一つの機器からなる装置（例えば、複写機、ファクシミリ装置など）に適用してもよい。
【００３８】
また、本発明の目的は、前述した実施形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出し実行することによっても達成されることは言うまでもない。
【００３９】
この場合、記憶媒体から読み出されたプログラムコード自体が前述した実施形態の機能を実現することになり、そのプログラムコードを記憶した記憶媒体は本発明を構成することになる。
【００４０】
プログラムコードを供給するための媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４１】
また、コンピュータが読み出したプログラムコードを実行することにより、前述した実施形態の機能が実現されるだけでなく、そのプログラムコードの指示に基づき、コンピュータ上で稼動しているＯＳ（オペレーションシステム）などが、実際の処理の一部または全部を行い、その処理によって前述した実施形態の機能が実現される場合も含まれることは言うまでもない。
【００４２】
さらに、記憶媒体から読み出されたプログラムコードが、コンピュータに挿入された機能拡張ボードやコンピュータに接続ざれた機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４３】
本発明を上記記憶媒体に適用する場合、その記憶媒体には、先に説明した制御動作に対応するプログラムコードを格納することになる。
【００４４】
【発明の効果】
以上説明したように、ストロボ発光源と二次元平面センサとで原稿画像を読み取る構成において、両面原稿画像の読み取りを表裏同時に実施する場合において、原稿画像の表面、裏面の画像を読み取るためのストロボ発光の発光タイミングを他の読み取りに影響ないようにすることで、原稿の裏写りの防止を行って、画像読み取り品位の低下を防ぐことを可能とする。
【００４５】
その一例として、表面と裏面のストロボ発光位置を、同時に発光した場合でも影響がない間隔をあけて配置することにより、ストロボ発光時の原稿の裏写りを防止することができ、画像読み取りの品位低下を防ぐことが可能となる。また、更には表面と裏面のストロボ発光のタイミングを表面、裏面でそれぞれタイミングを取って従属的に処理を行うことで同時に発光することを避けて原稿の裏写りを防止することが可能になる。
【図面の簡単な説明】
【図１】本発明に係る一実施の形態例におけるデジタル複写機を示す断面構成図である。
【図２】本発明に係る一実施の形態例における自動原稿給送装置６の略断面図である。
【図３】本発明に係る一実施の形態例における原稿画像読み取り構成を示す図である。
【図４】本発明に係る一実施の形態例における原稿画像読み取り処理を説明するフローチャートである。
【符号の説明】
２００  画像形成装置本体
２０１  プラテンガラス
２０３  ストロボ発光体
２０４〜２０６  走査ミラー
２０７  レンズ
２０８  イメージセンサ部
２０９  露光制御部
２１０  画像形成部
２１１  感光体ドラム
２１２  １次帯電器
２１３  現像器
２１４  前露光ランプ
２１５  クリーニング装置
２１６  転写帯電器
２１７  分離帯電器
２１９  レーザ光
２２１  右カセットデッキ
２２２  左カセットデッキ
２２３  上段カセット
２２４  下段カセット
２２５、２２６、２２７、２２８  ピックアップローラ
２２９、２３０、２３１、２３２  給紙ローラ
２３３  レジストローラ
２３４  転写ベルト
２３５  定着器
２３６  排出ローラ
２３７  排紙フラッパ
２３８  搬送パス
２３９  反転パス
２４０  下搬送パス
２４１  再給紙パス
２４２  再給紙ローラ
２４３  排出パス
２４４  排出ローラ
２４５  反転ローラ
２５０  デッキ
２５１  リフタ
２５２  ピックアップローラ
２５３  給紙ローラ
２５４  マルチ手差し
２８０  自動原稿送り装置（ＤＦ）
２９０  排紙処理装置
２９１  用紙トレイ
２９２、２９３  排紙トレイ
２９４  処理トレイ
２９５  Ｚ折り機
２９６  製本機
２９７  排出トレイ
６０１  給紙ローラ
６０２  分離ローラ
６０３  分離ベルト
６０４  搬送ローラ
６０５  レジストローラ
６０６  ベルト駆動ローラ
６０７  給送ベルト
６０８  原稿後端検知センサ
６０９  最終原稿検知センサ
６１０  原稿セット検知センサ
６１１  ストッパ
６１６  排紙フラッパ
６１７  給排紙ローラ
６１８  排紙ローラ
６１９  手差し給排紙ローラ
６２０  原稿トレイ
６２１  原稿束
６２２  手差し排紙口
６２３  原稿排紙口
６２４  原稿サイズ検知センサ１
６２５  原稿サイズ検知センサ２
６２６  原稿サイズ検知センサ３
６５２  給紙パス
６５４  手差し原稿給紙パス
６５５  原稿排紙パス
【図１】
2005012394.tif 000003
【図２】
2005012394.tif 000004
【図３】
2005012394.tif 000005
【図４】
2005012394.tif 000006